(57)【要約】【課題】比較的天端水深が深い地点のダブルリーフの消波効果を高めると共に、大型コンクリート構造物を使用することなく潜堤を構築する。【解決手段】潜堤１は、捨石からなる下段リーフ３の上に断面Ｌ型の前面ブロック１０を設置し、その背後に捨石１２、またはコンクリートブロックを投入し、捨石１２上に天端ブロック１１を設置して上段リーフ２とし、上段リーフ２の背後に後部マウンド２０を形成してダブルリーフとする。大型コンクリート構造物を使用することなく消波性能の高いダブルリーフを低コストで構築することができる。【選択図】図１
2006070548.tif 000002
【特許請求の範囲】
【請求項１】
上下２段のダブルリーフ型潜堤であって、上段リーフの沖側前面が前面壁ブロックであり、その背面が中詰であり、中詰の上面に天端ブロックを載置した潜堤。
【請求項２】
請求項１において、中詰が捨石である潜堤。
【請求項３】
請求項１または２のいずれかにおいて、中詰の上面に載置する天端ブロック間に隙間を設けた潜堤。
【請求項４】
請求項１〜３のいずれかにおいて、中詰の上面に載置する天端ブロックが開口部を有する潜堤。
【発明の詳細な説明】
【技術分野】
【０００１】
本発明は、砕波を利用した潜堤式の消波構造物に関する。
【背景技術】
【０００２】
波浪による海岸侵食を防止し、また、静穏な海域を生成して海洋レクレーションエリアとするための潜堤は種々提案されており、図４及び図５に示すように、台形型や上面に傾斜スリットを有する函体を利用したダブルリーフの潜堤が特許文献１（特許第３５０５１５６号公報）に提案されている。また、特許文献２（特許第３２９８８６２号公報）には、上段リーフの沖側下端に開口を形成した直立壁の函体を使用し、天端に傾斜スリットを設けた潜堤が提案されている。
【特許文献１】特許第３５０５１５６号公報
【特許文献２】特許第３２９８８６２号公報
【発明の開示】
【発明が解決しようとする課題】
【０００３】
これらの砕波を生成して消波する潜堤は、消波作用が効果的に行われ、潜堤背後の水域は静穏な海域となるので、魚などを堤体背部に集める効果（蝟集効果）がある。
図５の上段リーフの天端にスリットを設けたタイプのものは、天端水深が小さい場合、スリットからなるトラップはその機能が十分発揮されるものの、水深が大きくなり、２ｍを超えるとスリット板のまわりの乱れが弱くなり、波のエネルギーを減衰させる効果が小さくなり、図４に示すように、スリットのない場合の方が波高伝達率（Ｋｔ）が小さくなり消波性能が高くなっている。
【０００４】
本発明は、波のエネルギーの減衰効果を減ずることなく、また、スリットを形成した大型コンクリート構造物を使用することなく、ダブルリーフ型潜堤を構築できるようにするものである。
【課題を解決するための手段】
【０００５】
本発明は２段式のダブルリーフ型潜堤の上段リーフをコンクリートブロックや石などで構築するものである。大型ブロックの場合はそのまま下段リーフ上に着底させ、石や小型ブロック等の場合は前面にL型等の前面ブロックを置き、その背後に石や小型ブロックを詰め、天端を平板状の天端ブロックで覆ったものである。
【０００６】
潜堤に向って進行してきた波は、海底の勾配、または、マウンド等の下段リーフによって増幅され、潜堤の上段リーフを構成する前面ブロック１０位置における急激な水深の減少によって砕波が生成される。天端が砕波の落下による捨石の移動を防止する。
【０００７】
砕波が生成される際には海水中に空気を連行するので、酸素が海水中に連行され、堤体周辺の水域は酸素を多く含む状態となるので、海草などの植物や、プランクトンを多く含む海域となる。プランクトンや海草の生育が行われるため、魚や貝などの魚介類等の生育にも適した海域とすることができる。
上段リーフの中詰の石の空隙は、エビやカニ、タコなどの生物が生息空間として利用することができ、静穏海域が得られるだけでなく、魚介類が繁殖する場を創ることになる。
【発明を実施するための最良の形態】
【０００８】
実施例
図１に示すように、潜堤１は、捨石マウンドで形成した下段リーフ３の上に設置した前面ブロック１０とその背後に投入した捨石１２及び捨石上に設置した天端ブロック１１からなる上段リーフ２から構成されている。上段リーフ２は、下段リーフ３の沖側端部から、一定距離を離して設置してある。
【０００９】
前面ブロック１０は、断面Ｌ型や逆Ｔ型のコンクリートブロックである。コンクリート製だけでなく、間伐材を利用したものや、焼却灰などのリサイクル製品をセメントに混合したコンクリート製品を用いることができる。さらに、全体として壁状のものであればよいので、表面に凹凸を形成してもよい。
前面ブロック１０は、下段リーフ３にアンカー等によって固定して移動しないようにしてもよい。
【００１０】
上段リーフ２の天端から水面までは、低水位で２ｍ以上の深さとなるように設置されている。上段リーフ２の岸側には、後部マウンド２０を設け、上段リーフ２の一部とする。後部マウンド２０は、捨石等を積み上げたものであり、表面には根固めブロックを設置する。
【００１１】
図２に示すように、前面壁ブロック１０には、開口３１を設け、上段リーフ２を透過堤とすることにより、反射率を低減することができる。また、必要に応じて、前面ブロック１０の沖側には洗掘防止を施す。
前面ブロック１０の背後に捨石１２またはコンクリートブロックを中詰体として投入して積み重ねる。
【００１２】
捨石１２の上には天端ブロック１１を敷き並べる。天端ブロック１１同士を連結することにより、台風や高波などの際にも上段リーフ２の破壊や崩壊を防止することが可能である。
天端ブロック１１は、必要に応じて適宜の間隔をおいて設置する。間隔をおくことによって、その間隙に砕波が突入し消波効果を高めることができる。また、前面ブロックと同じく表面に凹凸を設けたり、開口を設けてもよい。
さらに、潜堤１の沖側、岸側両方の近傍に必要に応じて洗掘防止のためのマットや捨石を施工する。
【産業上の利用可能性】
【００１３】
本発明は、上下２段のダブルリーフ式の潜堤であって、上段リーフとして沖側前面に前面ブロックを設け、その背面に捨石等の中詰を投入し、中詰物の上面に平板状の天端ブロックを載置したので、上段リーフの天端水深が深くても従来のものと同程度の消波性能が得られると共に、大型構造物であるコンクリート函体を使用しないので、低コストで構築することができる。
【００１４】
長期間の供用に伴って地盤が沈下した場合であっても、上段リーフが前面ブロックと中詰石によって構成されているため、大きなコンクリート構造物を使用したダブルリーフに比較して修復作業が容易であり、初期の構築費用の削減と共に維持費用の削減も可能であり、建設費及び維持費のトータルにおいては格段に低コスト化される。
また、地球温暖化の影響で海水位が上昇し、上段リーフの天端水位が大きくなり、所望の消波効果が得られなくなっても、中詰石の積み増しをおこなうことにより上段リーフの天端水深を初期状態に容易に回復することができる。
【図面の簡単な説明】
【００１５】
【図１】本発明の実施例１の断面図。
【図２】前面ブロックの正面図。
【図３】ダブルリーフとトラップ式ダブルリーフの性能を示すグラフ。
【図４】従来の潜堤の断面図。
【図５】従来のトラップ式ダブルリーフの断面図。
【符号の説明】
【００１６】
１    潜堤
２    上段リーフ
３    下段リーフ（マウンド）
１０  前面ブロック
１１  天端ブロック
１２  捨石
２０  後部マウンド
【図１】
2006070548.tif 000003
【図２】
2006070548.tif 000004
【図３】
2006070548.tif 000005
【図４】
2006070548.tif 000006
【図５】
2006070548.tif 000007